(57)【要約】【課題】  着用時における着用者の手への圧迫を軽減しながら、その着脱作業を容易に行うことができ、着用者の無意識下における着用者の動作の一部を抑制できる器具の提供。【解決手段】  病人用睡眠楽々腕カバーは、四指出口穴とその上部に隣り合うように付けられた拇指入れと対辺に腕通し穴を有する腕保持部とそれに固定された結び紐から構成され、その結び紐を固定することで病人用睡眠楽々腕カバーの着用者の手を締め付けることなく、着用者の手が無意識に動くのを防止する。【選択図】  図１
2007075571.tif 000002
【特許請求の範囲】
【請求項１】
病人あるいは寝たきり老人において、本発明の病人用睡眠楽々腕カバーは四指出口穴とその上部に隣り合うように付けられた拇指入れと対辺に腕通し穴を有する腕保持部とそれに固定された結び紐から構成され、その結び紐を固定することで、病人用睡眠楽々腕カバーの着用者の手が無意識に動くのを防止するとともに、着用者の手を締め付けることなくその機能を提供できるようにしたことを特徴とする病人用睡眠楽々腕カバー。
【発明の詳細な説明】
【技術分野】
【０００１】  本発明は、病人や寝たきり老人（以下、被介護者等という）がベッドに寝ている状態において、被介護者等の治療又はケアのため被介護者等の身体の一部を動かさないようにする必要がある場合に使用する被介護者等の身体の動きの一部を抑制可能な腕カバーに関する。
【背景技術】
【０００２】  従来、被介護者等は睡眠中等の無意識な状態で手を動かし、点滴等のために彼らの体に取り付けられている医療用チューブを取り外してしまうことがある。チューブ等を外してしまうことにより、患者の治療に支障が発生したり、患者の生命に危険が及んでしまったりする。それらの問題は介護者が常に監視することで解決できるが、近年高齢化社会になるにつれて、被介護者の人数は増加している一方、介護者の数がそれに追いついていないのが現状であり、実際にその解決手段を実施することは難しい。そこでこれまで、患者の一部を紐等でベッドに縛って固定し、患者の動きを抑制することが行われていた。また、患者の手に抑制具を装着することで、患者が自らの医療用チューブを無意識に外してしまわないようにする医療用手袋が用いられることもあり、そのような器具としては（特開平８−１７３４６７）等がある。
【発明の開示】
【発明が解決しようとする課題】
【０００３】  病人あるいは寝たきり老人は無意識に手を動かしてしまうことがあり、その動作により医療用チューブや点滴などの装置又はオムツなどを本人が無意識に外してしまう問題がある。これらの問題に対して、患者の一部を紐等でベッドに縛って固定する方法は、患者に与える精神的負担と身体的負担が大きい。又、従来のように医療用手袋等を用いることで着用者の手の動きを抑制するものがあるが、着用による患者への負担を軽減するためには常時着用させないことが望ましく、着脱が容易である必要があった。因って、本発明は着用時における着用者の手への圧迫を軽減しながら、その着脱作業を容易に行うことができ、着用者の無意識下におけるそのような動作を抑制できる器具の提供を目的とする。
【課題を解決するための手段】
【０００４】  本発明は、上記のような問題を解決するために、患者の手に、無意識下の動作を防止する病人用睡眠楽々腕カバーを装着することにより、手が医療用チューブ等に無意識に届いてしまうことを防止する。下腕部全体を覆う構造にすることで腕にかかる負荷を分散させ、装着時の本人への負荷を少なくし、又本人又は介護者が意識下においては容易に着脱可能にしたものである。
【発明の効果】
【０００５】  この病人用睡眠楽々腕カバーにより、病人あるいは寝たきり老人が睡眠時に無意識に手を動かして医療用チューブや点滴などの装置又はオムツなどを外してしまう問題を防止することができる。又、着用時における着用者の手への圧迫を軽減しするとともに、着脱作業が容易に行えることを目的とする。又、本発明の腕カバーは構造が単純であるため、安価に製作することができる。
【発明を実施するための最良の形態】
【０００７】  以下、本発明を実施するための最良の形態について図を参照して説明する。【０００８】  図１は本実施形態に係る着用者の体の動きの一部を抑制可能な病人用睡眠楽々腕カバーの平面図である。【０００９】  図２は図１におけるＡ−Ａ断面図である。【００１０】  図３は図１、図２に示す病人用睡眠楽々腕カバーの立体図である。平面図に示す本発明の腕カバーは四指出口穴１ａとその上部に隣り合うように付けられた拇指入れ２と対辺に腕通し穴１ｂを有する腕保持部１とそれに固定された結び紐６ａと結び紐６ｂから構成されている。この腕保持部は着用者の前腕部全体を覆うのに十分な長さを有する。【００１１】  前記の腕保持部１と結び紐６ａ，結び紐６ｂはそれぞれ紐固定部８ａ，８ｂの位置で縫着により固定されており、結び紐６ａと結び紐６ｂは手の動かせる範囲の制限を調整できるように十分な長さを持たせたものを用いる。【００１２】  又、図１に示す腕保持部１は指出口穴１ａの下端から縫い止り７まで筒状になるように縫製され、縫い止り７から腕通し穴１ｂの下端までは縫着せず、図１に示すようにマジックテープ９により着脱できるようになっている。これは縫い止り７から腕通し穴１ｂの下端までの部分は装着し易いように開きとし、マジックテープ９により装着した後開き部分を止めるための物である。【００１３】  又、腕保持部１には、病人用睡眠楽々腕カバーを手に装着したときに手首が来る付近の位置にゴム通し穴５と、そのゴム通し穴５にゴム紐３を通した構造が設けてある。この構造は手首を締め付けるものではなく、図３に示すように腕が腕カバーから容易に脱げてしまわないようにするためのくびれを病人用唾眠楽々腕カバーの手首付近の部分に持たせるとともに、ゴム紐を用いて伸縮性を持たせることで着脱を容易に行えるようにするためのものである。【００１４】  図４には本発明を使用した場合の着用者の腕とベッドと病人用睡眠楽々腕カバーの関係を示す。図４に示すように、着用者の腕は腕通し穴１ｂから入り、拇指入れ２に拇指が入り、その他の示指、中指、環指、小指の四指（以下四指という）は四指出口穴１ａから外に出た状態になる。【００１５】  腕保持部１は結び紐８ａと結び紐８ｂによりベッドの手摺等に結び付けられ、これにより結び紐が伸びきった状態以上は腕を動かすことができないため、着用者の腕の動きは制限される。【００１６】  又、拇指入れ２により拇指の動きを拘束することで手による動作のうち物をつかむ動作の多くを制限し、オムツ等を脱ごうとする動きを防ぐとともに、拇指入れ２により着用者の拇指を拘束することで、着用時に拇指が拇指入れ２に完全に挿入された位置で病人用睡眠楽々腕カバーを安定させる様になっている。【００１７】  又、指を用いたつかむ動作以外の制限を減らすため、拇指のみを拘束し、四指は指出口穴１ａから外に出た状態で自由に動かせるようになっている。【００１８】  又、腕保持部の動きを抑制するための結び紐６ａと６ｂは、腕保持部１上に、６ａと６ｂの間の距離をある程度離して取り付けられており、この結び紐を固定する位置を図４に示すように、６ａと６ｂをそれぞれ手摺等へ固定したときに、その固定位置の間隔をある程度離して結び付けて固定することで、腕保持部の筒状の形状が縒れることを防ぐようになっている。【００１９】  この縒れを防止し、腕保持部１の円筒状の形状を保持することで、着用者がベッドに寝た状態の時に腕が病人用睡眠楽々腕カバーから自然に脱げてしまうことを防ぐとともに、着用者の動きが病人用睡眠楽々腕カバーにより抑制された際に着用者の前腕部全体にその抵抗力が分散されることで、着用者への負担と局部の締め付け等による負荷の集中から来る着用者の身体への悪影響を減らするようになっている。【００２０】  病人用睡眠楽々腕カバーの腕保持部は表布１０と裏布１１で袋縫いにし、表布は張りのある布地を使用し、裏布は直接皮膚に触れるので感触と吸水性の良い自然繊維の布地を使用する。
【図面の簡単な説明】
【００２１】
【図１】  本実施形態に係る着用者の体の動きの一部を抑制可能な病人用睡眠楽々腕カバーの平面図。
【図２】図１におけるＡ−Ａ断面図。
【図３】図１、図２に示す病人用睡眠楽々腕カバーの立体図。
【図４】本発明を使用した場合の着用者の腕とベッドと病人用睡眠楽々腕カバーの関係を示す図。
【符号の説明】
１    腕保持部
１ａ  四指出口穴
１ｂ  腕通し穴
２    拇指入れ
３    ゴム紐
４ａ  ステッチ
４ｂ  ステッチ
５    ゴム通し穴
６ａ  結び紐
６ｂ  結び紐
７    縫い止り
８ａ  紐固定部
８ｂ  紐固定部
９    マジックテープ
１０  表布
１１  裏布
１２  四指
１３  手摺（適切な固定場所）
１４  腕
【図１】
2007075571.tif 000003
【図２】
2007075571.tif 000004
【図３】
2007075571.tif 000005
【図４】
2007075571.tif 000006